(57)【特許請求の範囲】
【請求項１】
筐体の外部に位置し、回転操作によって第１の状態とこの第１の状態とは異なる第２の状態との間で変化する操作部と、
前記操作部と複数のブレーカのＯＮ／ＯＦＦを切り換える切り換え部とに係合して配置され、前記操作部の前記第１の状態により前記切り換え部の位置を、前記複数のブレーカをＯＮにする位置に位置させ、前記操作部の第２の状態により前記切り換え部の位置を、前記複数のブレーカをＯＦＦにする位置に位置させる係合機構と、
前記切り替え部と、
を具備し、
前記係合機構は、外周縁の近傍に前記操作部が配設され、前記操作部の操作により第一シャフトを回転軸として回転し得る円板部材と、前記第一シャフトに一端が連結されている連結部材と、前記連結部材の他端にスタッドによりロッドの一端が回動可能に連結されている前記ロッドと、前記スタッドと、前記ロッドの他端が固定されてスライダガイドに摺動可能に設けられておりスライダ連結ガイドの一端側が固定されているスライダと、前記スライダガイドと、前記スライダ連結ガイドと、前記スライダの移動に連動して移動するレールガイドとを備え、
前記レールガイドは前記切り替え部に連結されている、
ことを特徴とするブレーカ切換装置。
【請求項２】
前記切り換え部は、前記複数のブレーカの各々に配設され、
前記係合機構は、複数の切り換え部の夫々に係合して配設され、前記複数のブレーカを同時に切り換え可能である、
ことを特徴とする請求項１記載のブレーカ切換装置。
【請求項３】
前記操作部は、正逆操作可能である、
ことを特徴とする請求項１又は２記載のブレーカ切換装置。
【請求項４】
前記操作部の位置を表示する表示部を具備する、
ことを特徴とする請求項１乃至３の何れか一項に記載のブレーカ切換装置。
【請求項５】
請求項１乃至４の何れか一項に記載のブレーカ切換装置と、
前記切り換え部を有するブレーカと、を具備する蓄電装置。
【発明の詳細な説明】
【技術分野】
【０００１】
本発明は、ブレーカ切換装置及び蓄電装置に関する。
【背景技術】
【０００２】
蓄電装置の内部のブレーカのＯＮ／ＯＦＦの切り換えは、一般的に、作業者による手動での切り換えにより行われている。作業者による手動での切り替えの場合、蓄電装置の扉を開閉し、作業者がブレーカスイッチのＯＮ／ＯＦＦを手動で切り替えている。このため、ブレーカのＯＮ／ＯＦＦの切り換え時に作業者が蓄電装置の内部に配設される電力線ケーブルに触れてしまうという危険性がある。
【０００３】
このような危険性を回避するために、例えば、特許文献１には、ブレーカ自動投入装置に関する技術が開示されている。この特許文献１記載の技術は、非常時作動モータ、作動カム及び昇降部材を具備している。特許文献１記載の技術は、非常時作動モータを駆動させ、旋回ピンを昇降部材の作動カムに噛み込ませる。そして、特許文献１記載の技術は、旋回ピンを作動カムに噛み込ませた後に、モータを駆動させ続け、モータの駆動力を用いて昇降部材を上昇させる。これにより、特許文献１記載の技術は、昇降部材に係合しているスイッチレバーのＯＮ／ＯＦＦを切り換えている。このように、特許文献１記載の技術は、非常時作動モータを駆動させ、スイッチレバーのＯＮ／ＯＦＦを切り換えることで、作業者が蓄電装置の内部に手を入れる必要がなく、上述のような危険性を回避している。
【先行技術文献】
【特許文献】
【０００４】
【特許文献１】実用新案登録第３１１４６５１号公報
【発明の概要】
【発明が解決しようとする課題】
【０００５】
しかしながら、上記特許文献１記載の技術は、上述したように、非常時作動モータの駆動力を利用して、スイッチレバーのＯＮ／ＯＦＦを切り換えている。このため、上記特許文献１記載の技術は、非常時作動モータに故障等の不具合が生じた場合、スイッチレバーのＯＮ／ＯＦＦを切り換えることできない。
【０００６】
また、上記特許文献１記載の技術は、ブレーカを切り換えるか否かを判断し、切り換えが必要な場合にブレーカの切り換えを制御している。このため、上記特許文献１記載の技術は、利用者自らが切り換えを判断した際に切り換えを行うことを想定していない。このため、上記特許文献１記載の技術は、利用者自らが切り換えを判断し、切り替えようとしても、モータが動かないと、往復機構を動かせない。すなわち、上記特許文献１記載の技術は、利用者自らが所望するタイミングでブレーカを切り換えることが困難であるという技術的課題がある。
【０００７】
そこで、本発明の目的は、上記従来の実状に鑑みて、利用者自らが所望するタイミングで蓄電装置の外部からブレーカの切り換えを行うことが可能なブレーカ切換装置及び蓄電装置を提供することにある。
【課題を解決するための手段】
【０００８】
上記目的を達成するために、本発明に係るブレーカ切換装置は、筐体の外部に位置し、第１の状態とこの第１の状態とは異なる第２の状態との間で変化する操作部と、上記操作部とブレーカのＯＮ／ＯＦＦを切り換える切り換え部とに係合して配置され、上記操作部の上記第１の状態により上記切り換え部をＯＮに位置させ、上記操作部の第２の状態により上記切り換え部をＯＦＦに位置させる係合機構と、を具備して構成される。
【０００９】
上記目的を達成するために、本発明に係る蓄電装置は、上記ブレーカ切換装置と、上記切り換え部を有するブレーカと、を具備して構成される。
【発明の効果】
【００１０】
本発明によれば、利用者自らが所望するタイミングで蓄電装置の外部からブレーカの切り換えを行うことができる。
【図面の簡単な説明】
【００１１】
【図１】本発明の一実施形態（第１の実施形態）に係るブレーカ切換装置及び蓄電装置の構成を示す構成図である。
【図２】本発明の他の実施形態（第２の実施形態）に係るブレーカ切換装置を具備する蓄電装置の外観を示す外観図である。
【図３】図２におけるＡ部の内部構成の第１の状態を示す内部構成図である。
【図４】図２におけるＡ部の内部構成の第２の状態を示す内部構成図である。
【図５】本発明の他の実施形態（第２の実施形態）に係るブレーカ切換装置の係合機構の第１の動作態様を示す図である。
【図６】本発明の他の実施形態（第２の実施形態）に係るブレーカ切換装置の係合機構の第２の動作態様を示す図である。
【発明を実施するための形態】
【００１２】
以下、図面を用いて、本発明の実施形態について説明する。
【００１３】
（第１の実施形態）
図１を用いて、本発明の一実施形態（第１の実施形態）について説明する。図１は、本実施形態（第１の実施形態）に係るブレーカ切換装置１００及び蓄電装置１０１の構成を示す構成図である。
【００１４】
本実施形態のブレーカ切替装置１００は、操作部１１０及び係合機構１２０を具備している。操作部１１０は、蓄電装置１０１の筐体１０５の外部に位置し、第１の状態とこの第１の状態とは異なる第２の状態との間で変化している。係合機構１２０は、筐体１０５の内部に位置し、操作部１１０に係合して配置されている。この係合機構１２０は、操作部１１０とブレーカ１０３のＯＮ／ＯＦＦを切り換える切り換え部１０４とに係合して配置されている。そして、係合機構１２０は、操作部１１０の第１の状態により切り替え部１０４をＯＮに位置させ、操作部１１０の第２の状態により切り換え部１０４をＯＦＦに位置させている。ここで、係合機構１２０が切り換え部１０４をＯＮに位置させる際における係合機構１２０の位置は、切り換え部１０４をＯＮに位置させることが可能な位置であれば特に限定されないが、一例として、ＯＮに位置させた切り換え部１０４の近傍の位置である。また、係合機構１２０が切り換え部１０４をＯＮに位置させる際における係合機構１２０の位置は、他例として、所定の位置まで切り換え部１０４を押すことで、切り換え部１０４がＯＮの位置まで行けるのであれば、上述の所定の位置である。上述の所定の位置まで切り換え部１０４を押せば、切り換え部１０４がＯＮの位置まで行ける切り替え部１０４は、例えば、完全にＯＮの位置まで行かなくとも、ＯＮとＯＦＦとの間で僅かでもＯＮ側に位置するとＯＮの位置に移動する操作レバーを想定している。係合機構１２０が切り換え部１０４をＯＦＦに位置させる際における係合機構１２０の位置も、ＯＮに位置させる場合と同様に、切り換え部１０４をＯＦＦに位置させることが可能な位置であれば特に限定されない。
【００１５】
なお、本実施形態では、切り換え部１０４は複数からなり（１０４ａ、１０４ｂ、１０４ｃ）、また、切り換え部１０４を有するブレーカ１０３も複数からなるが（１０３ａ、１０３ｂ、１０３ｃ）、これに限定されず、例えば、単数であっても良い。
【００１６】
このように、本実施形態のブレーカ切替装置１００によれば、モータ等の駆動手段を用いずに、利用者が筐体１０５の外部に位置する操作部１１０を操作し、この操作に係合する係合機構１２０を利用してブレーカ１０３の切り換えを行うことが可能となる。
【００１７】
よって、本実施形態のブレーカ切換装置１００によれば、利用者自らが所望するタイミングで蓄電装置１０１の筐体１０５の外部からのブレーカ１０３の切り換えを行うことができる。同様に、本実施形態の蓄電装置１０１によれば、利用者自らが所望するタイミングで筐体１０５の外部からのブレーカ１０３の切り換えを行うことができる。
【００１８】
（第２の実施形態）
図２乃至図６を用いて、本発明の他の実施形態（第２の実施形態）について説明する。まず、図２乃至図４を用いて、ブレーカ切替装置２００を具備する蓄電装置２０１の構成について説明する。
【００１９】
図２は、本実施形態（第２の実施形態）に係るブレーカ切替装置２００を具備する蓄電装置２０１の外部構成を示す構成図である。図３及び図４は、図２におけるＡ部の内部構成の第１及び第２の状態を示す内部構成図である。
【００２０】
蓄電装置２０１は、ブレーカ切換装置２００、電力線ケーブル２０２及びブレーカ２０３を具備している。蓄電装置２０１は、電力線ケーブル２０２を介して図示しない外部の分電盤から電力を受電し、電力線ケーブル２０２を介して図示しない機器に電力を供給する装置である。ブレーカ切換装置２００については、後述する。
【００２１】
電力線ケーブル２０２は、図示しない外部の分電盤とブレーカ２０３、及び図示しない機器とブレーカ２０３とを接続している。なお、電力線ケーブル２０２は、周知の技術であるため、その詳細な説明を省略する。
【００２２】
ブレーカ２０３は、図示しない分電盤から図示しない機器に電力を供給するか否かを切り替えるブレーカスイッチ（切り換え部）２０４を有している。本実施形態において、蓄電装置は、ブレーカスイッチ２０４の切り換えを筐体２０５の外部から利用者が手動で行うことが可能なブレーカ切替装置２００を具備している。
【００２３】
このブレーカ切替装置２００は、操作部２１０及び係合機構２２０を有している。ブレーカ切替装置２００の操作部２１０は、蓄電装置２０１の筐体２０５の外部に位置している。このため、利用者が蓄電装置２０１の扉を開けずに操作部２１０に触ることが可能となる。また、操作部２１０には、この操作部２１０の位置を表示する図示しない表示部が設けられる。このように、表示部に操作部２１０の位置が表示されることで、作業者が筐体２０５の外部から後述する切り換えガイド２３０が下降した位置に位置しているのか、又は上昇した位置に位置しているのかを把握することが可能となる。
【００２４】
蓄電装置２０１の内部には、ブレーカ切替装置２００の係合機構２２０が配設されている。係合機構２２０の切り換えガイド２３０は、利用者により操作部２１０が操作されると、昇降する。この係合機構２２０の切り換えガイド２３０の昇降動作により、ブレーカスイッチ２０４の切り換えが行われる。
【００２５】
詳述すると、切り換えガイド２３０が下降すると、切り換えガイド２３０の第１の棒状部材２３０ａがブレーカスイッチ２０４を下方に押圧する。これにより、切り換えガイド２３０の下降に応じて、ブレーカ２０３をＯＮからＯＦＦに切り替えることが可能となる。
【００２６】
一方、切り換えガイド２３０が上昇すると、切り換えガイド２３０の第２の棒状部材２３０ｂがブレーカスイッチ２０４を上方に押圧する。これにより、切り換えガイド２３０の上昇に応じてブレーカ２０３をＯＦＦからＯＮに切り替えることが可能となる。この切り換えガイド２３０の昇降動作は、係合機構２２０により実現されている。
【００２７】
このように、本実施形態のブレーカ切換装置２００は、操作部２１０及び係合機構２２０を用いて、蓄電装置の扉を開けずに、蓄電装置２０１の筐体２０５の外部からブレーカ２０３の切り換えを行うことが可能となる。以下、係合機構２２０の具体的な構成について説明する。
【００２８】
（係合機構の構成）
次に、図５及び図６を用いて、本実施形態のブレーカ切換装置２００の係合機構２２０の構成及び動作について説明する。図５及び図６は、本実施形態（第２の実施形態）に係るブレーカ切換装置２００の係合機構２２０の第１及び第２の動作態様を示す図である。なお、これら図５及び図６に示す係合機構２２０は、図３のＡ方向から目視した状態を示している。まず、ブレーカ切換装置２００の係合機構２２０の構成について説明する。
【００２９】
本実施形態において、係合機構２２０は、円板部材２２１、シャフト２２２、連結部材２２３、ロッド２２４、スタッド２２５、スライダ２２６、スライダガイド２２７、スライダ連結ガイド２２８及びレールガイド２２９を具備している。
【００３０】
円板部材２２１は、円板状をなして形成されている。円板部材２２１の一方の面上における円板部材２２１の外周縁の近傍には、操作部２１０が配設されている。円板部材２２１の中心には、孔が形成されている。この孔の形状は、多角形状をなして形成されると良い。円板部材２２１の孔には、シャフト２２２が嵌装されている。このため、円板部材２２１は、利用者により操作部２１０が操作されると、円板部材２２１の孔を回転軸として回転する。
【００３１】
シャフト２２２は、棒状をなして形成され、断面視すると、円板部材２２１の孔の形状と同形状をなして形成されている。このため、円板部材２２１の孔に嵌装されたシャフト２２２は、利用者が操作部２１０を操作すると、円板部材２２１とともに回転する。シャフト２２２には、連結部材２２３の一端が連結されている。
【００３２】
連結部材２２３は、円板部材２２１の面上に沿って延設されている。この連結部材２２３の他端が円板部材２２１の外周縁の近傍に位置している。このため、連結部材２２３の一端を中心に他端が円板部材２２１の外周縁の近傍に沿って移動する。連結部材２２３の他端には、ロッド２２４が回動可能に連結されている。
【００３３】
ロッド２２４は、伸縮式のロッドにより構成されている。そして、ロッド２２４の一端は、スタッド２２５により連結部材２２３の他端に回動可能に連結されている。ロッド２２４の他端は、スライダ２２６に固定されている。ロッド２２４は、連結部材２２３の移動による連結部材２２３の他端とスライダ２２６との距離に応じて伸縮しながら、上下方向に往復移動する。
【００３４】
スライダ２２６は、スライダガイド２２７に摺動可能に設けられている。スライダガイド２２７は、第１のガイド部材２２７ａ及び第２のガイド部材２２７ｂを有している。これら第１のガイド部材２２７ａ及び第２のガイド部材２２７ｂは、互いに対向する面に、この面に沿って凹部が形成されている。この凹部にスライダ２２６が挿通される。これにより、スライダ２２６が往復移動する。
【００３５】
スライダ２２６には、スライダ連結ガイド２２８の一端側が固定されている。スライダ連結ガイド２２８は、第１のガイド部材２２８ａ及び第２のガイド部材２２８ｂを有している。なお、本実施形態では、スライダ連結ガイド２２８は、第１のガイド部材２２８ａ及び第２のガイド部材２２８ｂからなる二本のガイド部材により構成されているが、これに限定されない。例えば、スライダ２２６の移動に連動してレールガイド２２９が移動するのであれば、一本のガイド部材により構成しても良い。このスライダ連結ガイド２２８の他端側には、レールガイド２２９が固定されている。このため、スライダ２２６の昇降動作に連動してスライダ連結ガイド２２８及びレールガイド２２９が昇降する。
【００３６】
レールガイド２２９には、切り換えガイド２３０が連結されている。切り換えガイド２３０は、上述したように、第１のガイド部材２３０ａ及び第２のガイド部材２３０ｂを有している。切り換えガイド２３０は、これら第１のガイド部材２３０ａ及び第２のガイド部材２３０ｂを平行に並べて構成される。そして、平行に並べた第１のガイド部材２３０ａ及び第２のガイド部材２３０ｂの間には、上述したように、ブレーカスイッチ２０４が位置している。このため、レールガイド２３０が下降すると、第１のガイド部材２３０ａがブレーカスイッチ２０４を下方に押圧する。これにより、レールガイド２３０の下降に応じて、ブレーカ２０３をＯＮからＯＦＦに切り替えることが可能となる。一方、レールガイド２３０が上昇すると、第２のガイド部材２３０ｂがブレーカスイッチ２０４を上方に押圧する。これにより、レールガイド２３０の上昇に応じて、ブレーカ２０３をＯＦＦからＯＮに切り替えることが可能となる。
【００３７】
（係合機構の動作）
次に、本実施形態のブレーカ切換装置２００の係合機構２２０の動作について説明する。
【００３８】
利用者が操作部２１０を握って円板部材２２１を回すと、シャフト２２２が回転する。シャフト２２２が回転すると、連結部材２２３が円板部材２２１の中心を回転軸として、回転する。これにより、連結部材２２３に連結されているロッド２２４が下方に移動する。また、ロッド２２４に固定されているスライダ２２６が下方に移動する。また、スライダ２２６に連結されているスライダ連結ガイド２２８が下方に移動する。そして、レールガイド２２９に連結されている切り換えガイド２３０が下方に移動する。切り換えガイド２３０により押圧され、ブレーカスイッチ２０４がＯＮからＯＦＦに移動する。これにより、ブレーカ２０３が切り換る。なお、操作部２１０を逆回りに回転させると、ブレーカ２０３の逆方向への切り換えも可能である。
【００３９】
このように、本実施形態のブレーカ切換装置２００によれば、モータ等の駆動手段を用いずに、操作部２１０を操作し、この操作に連動する係合機構２２０の昇降動作を利用してブレーカ２０３の切り換えを行うことが可能となる。そして、ブレーカ切換装置２００は、操作部２１０を筐体２０５の外部に配設させているため、蓄電装置の扉を開けずにブレーカ２０３を切り換えることが可能になる。
【００４０】
よって、本実施形態のブレーカ切換装置２００は、利用者自らが所望するタイミングで蓄電装置２０１の筐体２０５の外部からブレーカ２０３の切り換えを行うことができる。
【００４１】
なお、本実施形態では、ブレーカ切換装置２００により複数のブレーカ２０３（２０３ａ、２０３ｂ、２０３ｃ）の切り換えを行っているが、ブレーカ２０３の数については、特に限定されず、例えば、一つのブレーカ２０３の切り換えを行うようにしても良い。
【符号の説明】
【００４２】
１００    ブレーカ切換装置
１１０    操作部
１２０    係合機構
【図１】
0006559991.tif 000002
【図２】
0006559991.tif 000003
【図３】
0006559991.tif 000004
【図４】
0006559991.tif 000005
【図５】
0006559991.tif 000006
【図６】
0006559991.tif 000007